(57)【要約】【課題】吸収容量が確保でき、組み合わせる際に手間がかかり難く、作業性が良い吸収パッドを提供すること。【解決手段】本発明の吸収パッド１は、使い捨ておむつ１００の肌対向面上に載置して使用される。吸収パッド１は、縦長であり、該縦方向に沿う第１方向Ｘの中央部に幅狭の括れ部４ｋを有する吸収体４と、吸収体４の外周縁４Ｓよりも外方に該外周縁に沿って配されたフラップ部５とを含む。フラップ部５の括れ部４ｋに対応する位置における非肌対向面に接合手段６が設けられている。接合手段６によって吸収パッド１と同一形状の他の吸収パッド１とが隙間なく連結可能に形成される。【選択図】図３
2019097980.tif 000002
【特許請求の範囲】
【請求項１】
使い捨ておむつの肌対向面上に載置して使用される縦長の使い捨ての吸収パッドであって、
前記吸収パッドは、その縦方向に沿う第１方向の中央部に幅狭の括れ部を有する液保持性の吸収体と、該吸収体の外周縁よりも外方に該外周縁に沿って配されたフラップ部とを含み、
前記フラップ部の前記括れ部に対応する位置における非肌対向面に接合手段が設けられており、
前記接合手段によって前記吸収パッドと同一形状の他の吸収パッドとが隙間なく連結可能に形成されている、吸収パッド。
【請求項２】
前記吸収パッドの前記括れ部と、同一形状の他の吸収パッドにおける複数の位置から選択される一の位置とが合致して、該吸収パッドと同一形状の該他の吸収パッドとが隙間なく連結可能に形成されている、請求項１に記載の吸収パッド。
【請求項３】
前記接合手段は、他の前記吸収パッドと重なる部分の全体又は一部に配されている、請求項１又は２に記載の吸収パッド。
【請求項４】
前記吸収体と重なる位置の非肌対向面に前記接合手段とは別の接合手段を備えている、請求項１〜３の何れか１項に記載の吸収パッド。
【請求項５】
前記吸収体は、溝部を備え、該溝部が少なくとも第１方向に延びている、請求項１〜４の何れか１項に記載の吸収パッド。
【請求項６】
前記接合手段は、機械的面ファスナーのオス部材である、請求項１〜５の何れか１項に記載の吸収パッド。
【請求項７】
前記吸収体は、前記括れ部における構成部材の坪量が該括れ部に隣接する隣接部における構成部材の坪量よりも多い、請求項１〜６の何れか１項に記載の吸収パッド。
【請求項８】
請求項１〜７の何れか１項に記載の吸収パッドを複数備え、
一の前記吸収パッドの第１方向と、他の前記吸収パッドの第１方向とが平行となるように、前記接合手段によって該一の吸収パッドと該他の吸収パッドとを隙間なく連結して使用する、吸収パッドセット。
【請求項９】
請求項１〜７の何れか１項に記載の吸収パッドを複数備え、
一の前記吸収パッドの第１方向と、他の前記吸収パッドの第１方向とが直交するように、前記接合手段によって該一の吸収パッドと該他の吸収パッドとを隙間なく連結して使用する、吸収パッドセット。
【請求項１０】
請求項１〜７の何れか１項に記載の吸収パッドを複数用い、
一の前記吸収パッドと他の前記吸収パッドとを隙間なく前記接合手段で連結して吸収パッドセットを形成し、
前記吸収パッドセットを使い捨ておむつの肌対向面上に載置して使用する吸収パッドの使用方法。
【請求項１１】
一対の防漏カフを有する使い捨ておむつと、該使い捨ておむつの肌対向面に取り外し可能に配される複数の同一形状の縦長の吸収パッドから形成される吸収パッドセットとを具備する着用物品であって、
各前記吸収パッドは、その縦方向に沿う第１方向の中央部に幅狭の括れ部を有する液保持性の吸収体と、該吸収体の外周縁よりも外方に該外周縁に沿って配されたフラップ部とを含み、
前記フラップ部の前記括れ部に対応する位置における非肌対向面に接合手段が配されており、
前記吸収パッドセットは、前記接合手段によって一の吸収パッドと他の吸収パッドとを隙間なく連結して形成され、
前記吸収パッドセットを、前記一対の防漏カフの間に配置している、着用物品。
【発明の詳細な説明】
【技術分野】
【０００１】
本発明は、使い捨ておむつに載置して使用される吸収パッドに関する。
【背景技術】
【０００２】
近年、使い捨ておむつ、特に大人用の使い捨ておむつにおいては、おむつの交換に伴う経済的・労力的な負担を軽減するため、尿等を吸収する吸収パッドを併用することが多くなっている。
【０００３】
例えば、特許文献１には、使い捨ておむつに併用される吸収性物品ユニットが記載されている。特許文献１に記載の吸収性物品ユニットは、四角板状の吸収体と、他の吸収性物品ユニットに係合させる係合手段とを備えている。そして、吸収性物品ユニットを複数用いて、一の吸収性物品ユニットの係合手段と他の吸収性物品ユニットの係合手段とを係合させて連結し、連結吸収性物品として使用することが記載されている。特許文献１に記載の吸収性物品ユニットは、使い捨ておむつのサイズに合わせた細かなサイズ調整が可能であり、除去又は交換を要する部分のみを分離することも可能となっている。
【先行技術文献】
【特許文献】
【０００４】
【特許文献１】特開２００９−２１９６８５号公報
【発明の概要】
【発明が解決しようとする課題】
【０００５】
しかし、特許文献１に記載の吸収性物品ユニットは、四角板状かつ小型であり、組み合わせる際に多数の吸収性物品ユニットが必要となる。その為、複数の吸収性物品ユニットを連結する際の作業性が悪い。また、各吸収性物品ユニットの継ぎ目部分等の数が多いため、剛性が高くなり、使用感が低下する。
【０００６】
従って本発明の課題は、使用感が良く、作業性が良い吸収パッド、吸収パッドセット及びそれを用いた着用物品を提供することに関する。
【課題を解決するための手段】
【０００７】
本発明は、使い捨ておむつの肌対向面上に載置して使用される縦長の使い捨ての吸収パッドであって、前記吸収パッドは、その縦方向に沿う第１方向の中央部に幅狭の括れ部を有する液保持性の吸収体と、該吸収体の外周縁よりも外方に該外周縁に沿って配されたフラップ部とを含み、前記フラップ部の前記括れ部に対応する位置における非肌対向面に接合手段が設けられており、前記接合手段によって前記吸収パッドと同一形状の他の吸収パッドとが隙間なく連結可能に形成されている、吸収パッドを提供するものである。
【０００８】
また、本発明は、前記吸収パッドを複数備え、一の前記吸収パッドの第１方向と、他の前記吸収パッドの第１方向とが直交するように、前記接合手段によって該一の吸収パッドと該他の吸収パッドとを隙間なく連結して使用する、吸収パッドセットを提供するものである。
【０００９】
そして、本発明は、一対の防漏カフを有する使い捨ておむつと、該使い捨ておむつの肌対向面に取り外し可能に配される複数の同一形状の縦長の吸収パッドから形成される吸収パッドセットとを具備する着用物品であって、各前記吸収パッドは、その縦方向に沿う第１方向の中央部に幅狭の括れ部を有する液保持性の吸収体と、該吸収体の外周縁よりも外方に該外周縁に沿って配されたフラップ部とを含み、前記フラップ部の前記括れ部に対応する位置における非肌対向面に接合手段が配されており、前記吸収パッドセットは、前記接合手段によって一の吸収パッドと他の吸収パッドとを隙間なく連結して形成され、前記吸収パッドセットを、前記一対の防漏カフの間に配置している、着用物品を提供するものである。
【発明の効果】
【００１０】
本発明に係る吸収パッド、吸収パッドセット及びそれを用いた着用物品は、吸収パッドを１つのみ用いても吸収容量が確保でき、組み合わせに自由度があり、使用感が良く、作業性が良い。
【図面の簡単な説明】
【００１１】
【図１】図１は、本発明の吸収パッドの一実施形態を模式的に示す平面図である。
【図２】図２は、図１のＩＩ−ＩＩ線断面（横方向に沿う断面）を模式的に示す横断面図である。
【図３】図３は、図１に示す吸収パッド２個を連結した吸収パッドセットと、使い捨ておむつとを具備する着用物品を模式的に示す平面図である。
【図４】図４は、図１に示す吸収パッド２個を一の位置で連結した吸収パッドセットを模式的に示す平面図である。
【図５】図５は、図４のＶ−Ｖ線断面（横方向に沿う断面）を模式的に示す横断面図である。
【図６】図６は、図４のＶＩ−ＶＩ線断面（縦方向に沿う断面）を模式的に示す縦断面図である。
【図７】図７は、図１に示す吸収パッド２個を別の位置で連結した吸収パッドセットを模式的に示す平面図である。
【図８】図８は、図７のＶＩＩＩ−ＶＩＩＩ線断面（横方向に沿う断面）を模式的に示す横断面図である。
【図９】図９は、本発明の吸収パッドの他の実施形態を模式的に示す平面図である。
【図１０】図１０は、図９のＸ−Ｘ線断面（横方向に沿う断面）を模式的に示す横断面図である。
【図１１】図１１は、図９に示す吸収パッド２個を一の位置で連結した吸収パッドセットを模式的に示す平面図である。
【図１２】図１２は、図１１のＸＩＩ−ＸＩＩ線断面（縦方向に沿う断面）を模式的に示す縦断面図である。
【図１３】図１３は、図９に示す吸収パッド２個を別の位置で連結した吸収パッドセットを模式的に示す平面図である。
【図１４】図１４は、図１３のＸＩＶ−ＸＩＶ線断面（横方向に沿う断面）を模式的に示す横断面図である。
【図１５】図１５（ａ）〜（ｃ）は、本発明の吸収パッドのまた別の実施形態を模式的に示す平面図である。
【図１６】図１６（ａ）〜（ｃ）は、本発明の吸収パッドの更に別の実施形態を模式的に示す平面図である。
【発明を実施するための形態】
【００１２】
以下本発明を、その好ましい実施形態に基づき図面を参照しながら説明する。図１及び図２には本発明の吸収パッドの一実施形態である吸収パッド１が示されている。吸収パッド１は、使い捨ておむつの肌対向面上に載置して使用される使い捨てのものである。
【００１３】
吸収パッド１は、液透過性の表面シート２、液不透過性ないし液難透過性の裏面シート３、及び両シート間に介在された液保持性の吸収体４を含んでいる。そして、吸収パッド１は、吸収体４の外周縁４Ｓよりも外方に外周縁４Ｓに沿って配されたフラップ部５を含んでいる。吸収パッド１は、第１方向Ｘと第１方向Ｘに直交する第２方向Ｙとを有している。吸収パッド１は、実質的に縦長であり、縦方向に延びる中心線ＣＬに対して左右対称に形成されている。吸収パッド１では、第１方向Ｘとは、前記中心線ＣＬに平行な方向（縦方向に沿う方向）である。第２方向Ｙは、縦方向に直交する横方向である。
【００１４】
図３に示すおむつ１００は、長手方向Ｘ１と、長手方向Ｘ１に直交する幅方向Ｙ１を有する。図３に示す吸収パッドセット１０は、同一形状の２個の吸収パッド１，１から形成されるものである。図３では、２個の同一形状の吸収パッド１，１が、一の吸収パッド１ａと他の吸収パッド１ｂとして図示されている。図３に示すように、他の吸収パッド１ｂは、第１方向Ｘの長さが、後述する使い捨ておむつ１００の一対の防漏カフ１０８，１０８の自由端どうしの間隔と略一致する程度の長さか、一対の防漏カフ１０８，１０８内に収まる長さであることが好ましい。特に、吸収パッド１の第１方向Ｘの長さが、おむつ吸収体１０４の幅方向Ｙ１の長さに対し４０％以上の長さであることが好ましい。
また、吸収パッド１の第２方向Ｙ（図１参照）の長さは、図３に示すように、おむつ吸収体１０４の幅方向Ｙ１の長さに対し２５％以上の長さであることが好ましい。吸収パッド１が、おむつ１００に対してこのような長さを有することで、吸収パッド１単体でも吸収パッドとして使用可能な吸収容量を実現しながら、複数の吸収パッドを組み合わせた吸収パッドセットとしての使用も可能となる。なお、各吸収パッド１は、おむつ吸収体１０４の吸収性能の５０％以上の吸収性能を有することが好ましい。
具体的に、各吸収パッド１の第１方向Ｘ（図１参照）の長さは、３００ｍｍ以上８００ｍｍ以下であることが好ましく、４００ｍｍ以上７００ｍｍ以下であることが更に好ましい。各吸収パッド１の第１方向Ｘの長さは、各吸収パッド１における第１方向Ｘの長さが最も長い位置での長さである。一方、各吸収パッド１の第２方向Ｙ（図１参照）の長さは、１２０ｍｍ以上３９０ｍｍ以下であることが好ましく、１３０ｍｍ以上３８０ｍｍ以下であることが更に好ましい。各吸収パッド１の第２方向Ｙの長さは、各吸収パッド１における第２方向Ｙの長さが最も長い位置での長さである。
【００１５】
表面シート２は、図２に示すように、吸収体４の肌対向面の全域を被覆し、吸収体４の外周縁４Ｓよりも外方に延出している。裏面シート３は、吸収体４の非肌対向面の全域を被覆し、吸収体４の外周縁４Ｓよりも外方に延出している。表面シート２及び裏面シート３は、外周縁４Ｓからの延出部において、接着剤、ヒートシール、超音波シール等の公知の接合手段によって互いに接合され、フラップ部５を形成している。尚、表面シート２及び裏面シート３それぞれと吸収体４との間は接着剤によって接合されていてもよい。
【００１６】
表面シート２及び裏面シート３としては、生理用ナプキンや使い捨ておむつ等の吸収性物品に従来使用されているもの等を特に制限なく用いることができる。表面シートとしては、例えば、各種の単層又は多層構造の不織布や、樹脂フィルムに散点状に開孔を形成したもの等を用いることができる。裏面シート３としては、例えば、液不透過性ないし液難透過性の樹脂フィルム、樹脂フィルムと不織布とのラミネートシート、耐水圧の高い積層不織布等を用いることができる。
【００１７】
本明細書において、「肌対向面」は、吸収パッド１又はその構成部材（例えば吸収体４）における、着用時に着用者の肌側に向けられる面、すなわち相対的に着用者の肌に近い側のことである。「非肌対向面」は、吸収パッド１又はその構成部材における、着用時に肌側とは反対側、すなわち相対的に着用者の肌から遠い側に向けられる面のことである。尚、後述する使い捨ておむつ１００においても同様である。
【００１８】
吸収パッド１を図１に示すように平面視して、吸収体４の外周縁４Ｓの形状と、フラップ部５の内周縁の形状とが一致している。吸収パッド１は、平面視して、吸収体４の形状の略相似形に形成されている。
【００１９】
吸収体４は、図１に示すように、第１方向Ｘの中央部に幅狭の括れ部４ｋを有している。括れ部４ｋは、第２方向Ｙに沿う長さが、第１方向Ｘの前後に位置する部分よりも短い部分であり、最も短い部分を含む領域であり、後述するように、他の別の吸収パッド１と連結する際に利用される領域でもある。吸収体４の第１方向Ｘの全長に対する、括れ部４ｋ（最も短い部分を含む領域）の第１方向Ｘの長さの割合は、１５％以上４５％以下程度であることが好ましい。吸収体４は、第１方向に沿う両側縁がそれぞれ前記中心線ＣＬに向かって凸に括れており、第１方向Ｘの中央に括れ部４ｋを形成している。吸収体４は、括れ部４ｋを第１方向Ｘに挟んで隣接する第１領域４Ｒ１及び第２領域４Ｒ２を有している。第１領域４Ｒ１の面積及び第２領域４Ｒ２の面積は、互いに異なっていてもよいが、吸収パッド１では、同じ面積となっている。第１領域４Ｒ１及び第２領域は、その形状が特に限定されるものではないが、吸収パッド１では、第１方向に長い略楕円形状に形成されている。
【００２０】
吸収体４は、括れ部４ｋにおける構成部材の坪量が、括れ部４ｋに隣接する隣接部である第１領域４Ｒ１及び第２領域４Ｒ２の少なくとも一方における構成部材の坪量よりも多いことが好ましい。このように括れ部４ｋの坪量が第１領域４Ｒ１及び第２領域４Ｒ２の少なくとも一方の坪量よりも多いと、括れ部４ｋの体液の吸収量が第１領域４Ｒ１及び第２領域４Ｒ２の少なくとも一方の吸収量よりも多くなるので、幅狭であっても十分な吸収量を確保することができるからである。
【００２１】
吸収体４は、液保持性の吸収性コア（不図示）と、該吸収性コアを被覆するコアラップシート（不図示）とを含んで構成されている。吸収性コアとコアラップシートとの間は、ホットメルト型接着剤等の公知の接合手段により接合されている。吸収性コアは、繊維材料を主体とするコア構成部材が積繊されてなる繊維集合体である。コア構成部材の積繊は、公知の積繊装置を用いて常法に従って行うことができる。コア構成部材としては、この種の吸収性物品における液吸収要素に通常用いられる繊維材料を特に制限なく用いることができ、該繊維材料に加えて、又は該繊維材料に代えて、吸水性ポリマーを含有させてもよい。コアラップシートとしては、例えば、紙、不織布等を用いることができる。
【００２２】
フラップ部５は、図１に示すように、吸収体４の外周縁４Ｓよりも外方に該外周縁４Ｓに沿って略均一な幅で配されている。フラップ部５は、上述のように、吸収パッド１では、表面シート２及び裏面シート３の延出部を接合して形成されているが、他の部材シートを取り付けて形成されていてもよく、表面シート２又は裏面シート３の延出部と他の部材シートとを接合して形成されていてもよい。一例として、表面シート２の周縁部の肌対向面にサイドシートを取り付け、該サイドシートと裏面シート３の延出部とを接合してフラップ部５を形成することが挙げられる。フラップ部５の幅Ｗ５は、１０ｍｍ以上５０ｍｍ以下であることが好ましく、１５ｍｍ以上３５ｍｍ以下であることが更に好ましい。
【００２３】
フラップ部５は、図１及び図２に示すように、フラップ部５における吸収体４の括れ部４ｋに対応する位置の非肌対向面に接合手段６が設けられている。接合手段６は、後述するように使い捨ておむつ１００の肌対向面、或いは他の吸収パッド１の肌対向面等に固定できる手段であれば特に限定されないが、作業性の観点から、機械的面ファスナーのオス部材であることが好ましい。接合手段６は、吸収パッド１の吸収体４の括れ部４ｋに対応して、第１方向Ｘに沿う両側部にそれぞれ配されていてもよく、一方の該側部にのみ配されていてもよい。また、接合手段６は、後述する他の吸収パッド１と隙間なく連結させる際に吸収体４同士が重なって厚みが増加するのを抑制する観点から、括れ部４ｋ近傍のフラップ部５の非肌対向面に第１方向Ｘに延びて配されていることが好ましく、フラップ部５に沿って、言い換えれば吸収体４の外周縁４Ｓに沿って延びて配されていることが更に好ましい。接合手段６は、後述する他の吸収パッド１と隙間なく連結させる観点及び連結部分の剛性を抑えることによる使用感向上の観点から、他の吸収パッド１と重なる部分の少なくとも一部に配されていることが好ましく、該重なる部分の全体に配されていることが更に好ましい。接合手段６が第１方向Ｘに沿う両側部にそれぞれに配されている場合には、一方を他の吸収パッド１の接合に用い、他方をおむつ表面シート１０２の肌対向面の固定に用いることができる。
【００２４】
上述した吸収パッド１は、接合手段６によって該吸収パッド１と同一形状の他の別の吸収パッド１（図３参照）と隙間なく連結可能に形成されている。吸収パッド１は、吸収体４が括れ部４ｋを有する形状であるので、着用時に着用者の体の動きへの応答が良く、他の吸収パッド１と組み合わせる際に組合せの自由度があり、かつ、隙間なく連結することができる。また他の吸収パッド１と組み合わせる際に継目が少ないことから、容易に連結でき作業性が良い。このように他の吸収パッド１と組み合わせる際に継目が少ないと、吸収体４の剛性が高くなり難く、着用時にフィット性が高くなり、使用感が向上する。
特に組合せの自由度について、上述した吸収パッド１は、後述するように、同一形状の他の吸収パッド１における異なる複数の位置から選択される一の位置と括れ部４ｋとが合致して、隙間なく連結可能に形成されているので、更に容易に隙間なく連結でき作業性が良い。
尚、図５、６、８、１２及び１４に記載の断面図では、連結している一の吸収パッド１と他の吸収パッド１の間に段差があるように図示しているが、これは説明のための模式図だからであり、実際には前記段差は生じず、吸収パッドセット１０全体としてほぼ同じ厚さとなっている。
【００２５】
図３は、所謂展開型の使い捨ておむつ１００（以下「おむつ１００」ともいう）の肌対向面上に、２つの吸収パッド１を吸収パッドセット１０として載置した模式図である。尚、１個の吸収パッド１を載置して使用することもできる。吸収パッド１は、吸収体４が括れ部４ｋを有する形状であるので、１つのみ用いても着用者の体の動きへの応答が良い。また、前述のように吸収パッド１は、おむつ吸収体１０４の吸収性能の５０％以上の吸収性能を有することが好ましく、１つのみ用いても吸収容量が確保できる。
【００２６】
おむつ１００は、その着用状態において、着用者の前後方向に相当する長手方向Ｘ１と、これに直交する幅方向Ｙ１とを有する。おむつ１００は、長手方向Ｘ１の略中央域に、着用時に着用者の股下に配される股下部Ｍを有する。またおむつ１００は、股下部Ｍから長手方向Ｘ１の前後にそれぞれ延びる腹側部Ｆ及び背側部Ｒを有する。腹側部Ｆ及び背側部Ｒはそれぞれ、おむつ１００の着用時に着用者の腹側及び背側に配される部位である。股下部Ｍは、おむつ１００の着用時に着用者の尿排泄部及び便排泄部の双方に対向配置される排泄部対向部を有しており、該排泄部対向部は通常、おむつ１００の長手方向Ｘ１の中央部又はその近傍に位置している。
【００２７】
おむつ１００は、液保持性のおむつ吸収体１０４と、該おむつ吸収体１０４の肌対向面側に配された液透過性のおむつ表面シート１０２と、該おむつ吸収体１０４の非肌対向面側に配された液不透過性ないし液難透過性のおむつ裏面シート１０３とを具備する。おむつ１００は、図３に示すとおりの平面視において、股下部Ｍに位置する長手方向Ｘ１の中央域が幅方向Ｙ１の内方に向けて括れており、且つ長手方向Ｘ１に長い、縦長の略砂時計状をなしている。
【００２８】
おむつ表面シート１０２及びおむつ裏面シート１０３はそれぞれ、おむつ吸収体１０４よりも大きな寸法を有し、おむつ吸収体１０４の周縁から外方に延出している。おむつ裏面シート１０３は、図３に示すとおり、展開状態で且つ伸長状態のおむつ１００の外形を形成している。おむつ表面シート１０２、おむつ裏面シート１０３及びおむつ吸収体１０４としては、それぞれ、この種の吸収性物品に従来用いられているものを特に制限なく用いることができる。例えば、おむつ表面シート１０２としては各種の不織布や開孔フィルム等を用いることができる。おむつ裏面シート１０３としては液不透過性ないし液難透過性の樹脂フィルムや、樹脂フィルムと不織布等とのラミネート等を用いることができる。おむつ吸収体１０４としては、繊維材料を主体とするコア構成部材が積繊されてなる繊維集合体をコアラップシートで包んで形成されたもの等を用いることができる。
【００２９】
おむつ表面シート１０２側における長手方向Ｘ１に沿う左右両側には、それぞれサイドシート１０５が配されている。サイドシート１０５は、長手方向Ｘ１に沿う内側縁部と、該内側縁部よりも幅方向Ｙ１の外方に位置して長手方向Ｘ１に沿う外側縁部とを有する。図３に示す平面視において、該内側縁部はおむつ吸収体１０４の一部と重なっており、該外側縁部はおむつ吸収体１０４の長手方向Ｘ１に沿う側縁から幅方向Ｙ１の外方に延出しおむつ裏面シート１０３と接合されている。サイドシート１０５としては、この種の吸収性物品に従来用いられている各種のものを特に制限なく用いることができ、例えば、液不透過性ないし液難透過性の不織布等を用いることができる。
【００３０】
着用者の脚周りに配される左右のレッグ部におけるサイドシート１０５とおむつ裏面シート１０３との間には、糸状の弾性部材１０６が長手方向Ｘ１に沿って伸長状態で固定されている。これによって、おむつ１００の着用時におけるレッグ部に、弾性部材１０６の収縮により一対のレッグギャザーが形成される。また、サイドシート１０５の内側縁部には、糸状の弾性部材１０７が長手方向Ｘ１に沿って伸長状態で固定されており、これにより、おむつ１００の着用時には弾性部材１０７の収縮により少なくとも股下部Ｍに一対の防漏カフ１０８，１０８が形成される。各防漏カフ１０８は、おむつ１００の肌対向面における幅方向Ｙ１の両側部それぞれに、長手方向Ｘ１に延びるように配されている。おむつ表面シート１０２、おむつ裏面シート１０３、おむつ吸収体１０４、各弾性部材１０６，１０７及びサイドシート１０５は、ホットメルト型接着剤等の公知の接合手段により互いに接合されている。
【００３１】
図３に示すとおり、おむつ１００の背側部Ｒにおける長手方向Ｘ１に沿う両側縁部に、ファスニングテープ１０９，１０９が一対設けられている。ファスニングテープ１０９には、機械的面ファスナーのオス部材からなる止着部が取り付けられている。
【００３２】
おむつ１００の腹側部Ｆの非肌対向面には、機械的面ファスナーのメス部材からなる被止着領域（不図示）が形成されている。被止着領域は、腹側部Ｆの非肌対向面を形成するおむつ裏面シート１０３の非肌対向面に、機械的面ファスナーのメス部材を公知の接合手段、例えば接着剤やヒートシール等で接合固定して形成されており、ファスニングテープ１０９の前記止着部を着脱自在に止着可能になされている。
【００３３】
上述した吸収パッド１をおむつ１００の肌対向面上に１個載置して使用するときには、おむつ１００と、おむつ１００の肌対向面に取り外し可能に配される別体の１個の吸収パッド１とを具備する着用物品として着用される。１個の吸収パッド１は、例えば、その第１方向Ｘと、おむつ１００の長手方向Ｘ１とを一致させ、股下部Ｍにおける一対の防漏カフ１０８，１０８間に配置して使用される。１個の吸収パッド１は、接合手段６によって使い捨ておむつ１００のおむつ表面シート１０２の肌対向面に固定することができる。
【００３４】
また、複数の吸収パッド１を連結した吸収パッドセット１０をおむつ１００の肌対向面上に載置して使用するときには、図３に示すように、おむつ１００と、おむつ１００の肌対向面に取り外し可能に配される別体の吸収パッドセット１０とを具備する着用物品として着用される。吸収パッドセット１０は、例えば、二個の吸収パッド１，１を連結して形成できる。図３に示す吸収パッドセット１０は、上述した一の吸収パッド１ａと、該吸収パッド１ａと同一形状の他の吸収パッド１ｂとを連結して形成されている。
【００３５】
吸収パッドセット１０は、図４〜図６に示すように、同一形状の、一の吸収パッド１ａと他の吸収パッド１ｂとを有し、一の吸収パッド１ａの第１方向Ｘと、他の吸収パッド１ｂの第１方向Ｘとが直交するように、接合手段６によって一の吸収パッド１ａと他の吸収パッド１ｂとを隙間なく連結して使用される。「隙間なく連結する」とは、一の吸収パッド１ａのフラップ部５と他の吸収パッド１ｂのフラップ部５とを重ね合わせるか、一の吸収パッド１ａ及び他の吸収パッド１ｂの一方のフラップ部５と他方の吸収体４の縁部とを重ね合わせて、隙間を無くすことが好ましいが、一の吸収パッド１ａの吸収体４の縁部と他の吸収パッド１ｂの吸収体４の縁部とを重ね合わせたり、一の吸収パッド１ａの吸収体４の括れ部４ｋに他の吸収パッド１ｂの吸収体４の周縁部を合致させたりして、隙間を無くしてもよく、又はそれらの組み合わせで隙間を無くしてもよい。作業性の観点から、平面視して、一の吸収パッド１ａ及び他の吸収パッド１ｂの一方のフラップ部５と他方の吸収体４の縁部とを重ね合わせて、隙間を無くすことが好ましい。
【００３６】
上述した「隙間を無くす」とは、吸収パッドセット１０を平面視して、一の吸収パッド１ａと他の吸収パッド１ｂとを連結した部分において、厚み方向に貫通した空隙を有さず、かつ、吸収体４の縁部同士が隣接しているか、少なくとも吸収体４の縁部同士が等距離に離れた平行な状態を意味する。尚「連結」は、一の吸収パッド１ａと他の吸収パッド１ｂとが、点ではなく、面同士で接合することで行われている。また「隙間を無くす」には、厚み方向に貫通した空隙を有さず、かつ、吸収体４の縁部同士が一致するか、少なくとも吸収体４の縁部同士が等距離に離れた平行な状態も含まれる。吸収体４の縁部同士が一致する部分、或いは吸収体４の縁部同士が平行な状態の部分である連結した部分は、括れ部４ｋ（最も短い部分を含む領域）の第１方向Ｘの長さの７０％以上、好ましくは８０％以上、特に好ましくは９０％以上である。
【００３７】
図４に示す吸収パッドセット１０は、平面視して、一の吸収パッド１ａの第１方向Ｘの端部に位置するフラップ部５の肌対向面上に、一の吸収パッド１ａの第１方向Ｘと直交する方向に長い他の吸収パッド１ｂを配し、図５及び図６に示すように、他の吸収パッド１ｂにおける括れ部４ｋ近傍のフラップ部５の非肌対向面に配された接合手段６によって、互いに隙間なく連結されている。一の吸収パッド１ａと他の吸収パッド１ｂとを隙間なく連結する観点から、図４に示すように平面視して、一の吸収パッド１ａを構成する吸収体４の第１方向Ｘの一方の端部に位置する外周縁４Ｓと、他の吸収パッド１ｂを構成する吸収体４の括れ部４ｋの外周縁４Ｓとが一部接するように配され、他の吸収パッド１ｂの括れ部４ｋと一の吸収パッド１ａの第１方向Ｘの端部とが合致することが好ましい。
【００３８】
図４〜図６に示す吸収パッドセット１０は、図３に示すように、一の吸収パッド１ａの第１方向Ｘと、おむつ１００の長手方向Ｘ１とを一致させ、一の吸収パッド１ａをおむつ１００の股下部Ｍに配し、他の吸収パッド１ｂをおむつ１００の背側部Ｒ側に配し、吸収パッドセット１０を一対の防漏カフ１０８，１０８間に配して使用される。このように、吸収パッド１を複数用い、一の吸収パッド１ａと他の吸収パッド１ｂとを接合手段６によって隙間なく連結して吸収パッドセット１０を形成し、吸収パッドセット１０をおむつ１００の肌対向面上に載置して使用される。このようにすると、股下部および背側部の吸収性能を向上させることができる。これとは逆に、他の吸収パッド１ｂを腹側部Ｆ側に配することもできる。さらに、他の吸収パッド１ｂは背側部Ｒ側及び腹側部Ｆ側の両方に配してもよい。吸収パッドセット１０は、一の吸収パッド１ａ側の接合手段６によって使い捨ておむつ１００のおむつ表面シート１０２の肌対向面に固定することができるので、着用中のずれや浮きが生じにくい。また、吸収体４が括れ部４ｋを有する形状であることから幅狭の股下部Ｍに配されてもフィット性が良く、股下部Ｍでの吸収性を良くするとともに、装着時の違和感を低減することができる。
【００３９】
図１に示す吸収パッド１は、他の吸収パッド１と連結させて、図７及び図８に示す他の形態の吸収パッドセット１０とすることもできる。図７に示す吸収パッドセット１０は一の吸収パッド１ａと他の吸収パッド１ｂとを有し、一の吸収パッド１ａの第１方向Ｘと、他の吸収パッド１ｂの第１方向Ｘとが平行となるように、接合手段６によって一の吸収パッド１ａと他の吸収パッド１ｂとを隙間なく連結して使用される。図７に示すように平面視して、一の吸収パッド１ａの第１方向Ｘに沿う側部上に、一の吸収パッド１ａの第１方向Ｘと同じ方向に長い他の吸収パッド１ｂを配し、図８に示すように、他の吸収パッド１ｂにおける括れ部４ｋ近傍のフラップ部５の非肌対向面に配された接合手段６によって、一の吸収パッド１ａの第１方向Ｘに沿う側部に位置するフラップ部５の肌対向面上に連結され、一の吸収パッド１ａと他の吸収パッド１ｂとが隙間なく連結される。一の吸収パッド１ａと他の吸収パッド１ｂとを隙間なく連結する観点から、図７に示すように平面視して、一の吸収パッド１を構成する吸収体４の第１方向Ｘに沿う一方の側部に位置する外周縁４Ｓと、他の吸収パッド１ｂを構成する吸収体４の括れ部４ｋの外周縁４Ｓとが一部接するように配され、他の吸収パッド１ｂの括れ部４ｋと一の吸収パッド１ａの第２領域４Ｒ２の側部とが合致することが好ましい。
【００４０】
図７及び図８に示す吸収パッドセット１０は、一の吸収パッド１ａ及び他の吸収パッド１ｂそれぞれの第１方向Ｘと、おむつ１００の長手方向Ｘ１とを一致させ、一の吸収パッド１ａ及び他の吸収パッド１ｂをおむつ１００の股下部Ｍに配し、吸収パッドセット１０を一対の防漏カフ１０８，１０８間に配して使用される。図７及び図８に示す吸収パッドセット１０は、図４〜図６に示す吸収パッドセット１０と比較する場合、股下部Ｍにおける吸収性能をより向上できるという効果を奏することができ、括れ部４ｋがあることで着用者の股間へのフィット性が高い。また、図４〜図６に示す吸収パッドセット１０と同様に接合手段６により装着中のずれや浮きを生じにくい。なお、横向き寝の着用者に用いる場合、下側にくる吸収パッド１が腹側部Ｆ側に出ている配置で用いることが漏れ防止の観点から好ましい。
【００４１】
上述したように、図１に示す吸収パッド１は、同一形状の他の吸収パッド１と組み合わせることにより、図４〜図６に示す吸収パッドセット１０及び図７及び図８に示す吸収パッドセット１０を形成できる。これらの吸収パッドセット１０は、他の吸収パッド１ｂの括れ部４ｋと、一の吸収パッド１ａにおける複数の位置から選択される一の位置とが合致し、全体として異なる形状となるように隙間なく連結可能に形成されており、所望の領域の吸収性能を向上させることが可能となる。「全体として異なる形状となる」とは、吸収パッド１の括れ部４ｋ及び別の吸収パッド１における複数の位置から選択される一の位置を連結して形成される吸収パッドセット１０を平面視したときの全体形状と、吸収パッド１の括れ部４ｋ及び別の吸収パッド１における複数の位置から選択される他の位置を連結して形成される吸収パッドセット１０を平面視したときの全体形状とが異なる形状となることを意味する。このように、図１に示す吸収パッド１は、他の吸収パッド１との組合せの自由度が高く、隙間なく連結することが可能となる。
【００４２】
本発明の吸収パッドは、図１及び図２に示す吸収パッド１以外に、例えば図９及び図１０に示す実施形態の吸収パッド１であってもよい。図９及び図１０に示す吸収パッド１については、図１及び図２に示す吸収パッド１と異なる構成部分を主として説明し、同様の構成部分は同一の符号を付して説明を省略する。特に説明しない構成部分は、図１及び図２に示す吸収パッド１についての説明が適宜適用される。
【００４３】
図９に示す吸収パッド１では、吸収体４の括れ部４ｋが、中心線ＣＬに沿って長く形成されている。図９に示す吸収体４では、括れ部４ｋを第１方向Ｘに挟んで隣接する第１領域４Ｒ１及び第２領域４Ｒ２は同形状の矩形に形成されている。図９に示す吸収パッド１では、吸収体４の括れ部４ｋにおける第１方向Ｘの長さ、第１領域４Ｒ１における第１方向Ｘの長さ、及び第２領域４Ｒ２における第１方向Ｘの長さが、それぞれ略同じ長さとなっている。
【００４４】
図９に示す吸収パッド１は、吸収体４の外周縁４Ｓの形状と、フラップ部５の内周縁の形状とが一致しており、吸収体４の形状の略相似形に形成されている。図９に示す吸収パッド１は、接合手段６によって該吸収パッド１と同一形状の後述する他の別の吸収パッド１と隙間なく連結可能に形成されている。図９に示す吸収パッド１は、図１１に示すように、一の吸収パッド１ｃの吸収体４の第１領域４Ｒ１の第１方向Ｘ先端部に対応する位置のフラップ部５の形状と、他の吸収パッド１ｄにおける吸収体４の括れ部４ｋに対応する位置のフラップ部５の形状とが一致しており、接合手段６によって一の吸収パッド１ｃと他の吸収パッド１ｄとが隙間なく連結可能に形成されている。また、図９に示す吸収パッド１は、図１３に示すように、一の吸収パッド１ｃの吸収体４の第１領域４Ｒ１の第１方向Ｘに沿う側部に対応する位置のフラップ部５の形状と、他の吸収パッド１ｄにおける吸収体４の括れ部４ｋに対応する位置のフラップ部５の形状とが一致しており、接合手段６によって一の吸収パッド１ｃと他の吸収パッド１ｄとが隙間なく連結可能に形成されている。
【００４５】
上述した図９に示す吸収パッド１をおむつ１００（図３参照）の肌対向面上に１個載置して使用するときには、おむつ１００と、おむつ１００の肌対向面に取り外し可能に配される別体の１個の吸収パッド１とを具備する着用物品として着用される。１個の図９に示す吸収パッド１は、例えば、その第１方向Ｘと、おむつ１００の長手方向Ｘ１とを一致させ、股下部Ｍにおける一対の防漏カフ１０８，１０８間に配置して使用される。１個の吸収パッド１は、接合手段６によって使い捨ておむつ１００のおむつ表面シート１０２の肌対向面に固定することができる。
【００４６】
また、複数の図９に示す吸収パッド１を連結した吸収パッドセット１０をおむつ１００の肌対向面上に載置して使用するときには、おむつ１００と、おむつ１００の肌対向面に取り外し可能に配される別体の吸収パッドセット１０とを具備する着用物品として着用される。吸収パッドセット１０は、例えば、図１１及び図１３に示すように、二個の図９に示す吸収パッド１，１を連結して形成できる。図１１及び図１３に示す吸収パッドセット１０は、それぞれ、上述した図９に示す吸収パッド１と、該吸収パッド１と同一形状の他の吸収パッド１ｄとを連結して形成されている。
【００４７】
図１１及び図１２に示す吸収パッドセット１０は、同一形状の２個の吸収パッド１，１を組み合わせたものである。図１１及び図１２では、２個の同一形状の吸収パッド１，１が、一の吸収パッド１ｃと他の吸収パッド１ｄとして図示されている。図１１及び図１２に示す吸収パッドセット１０は、一の吸収パッド１ｃの第１方向Ｘと、他の吸収パッド１ｄの第１方向Ｘとが直交するように、接合手段６によって一の吸収パッド１ｃと他の吸収パッド１ｄとを隙間なく連結して使用される。図１１に示す吸収パッドセット１０は、一の吸収パッド１ｃの第１方向Ｘの端部上に、一の吸収パッド１ｃの第１方向Ｘと直交する方向に長い他の吸収パッド１ｄを配し、図１２に示すように、他の吸収パッド１ｄにおける括れ部４ｋ近傍のフラップ部５の非肌対向面に配された接合手段６によって、一の吸収パッド１ｃの第１方向Ｘの端部に位置するフラップ部５の肌対向面上に連結され、吸収パッド１ｄの括れ部４ｋと一の吸収パッド１ｃの第１方向Ｘの端部とが合致して、一の吸収パッド１ｃと他の吸収パッド１ｄとが隙間なく連結されている。
【００４８】
図１１及び図１２に示す吸収パッドセット１０を、図３に示すおむつ１００に配するときには、一の吸収パッド１ｃの第１方向Ｘと、おむつ１００の長手方向Ｘ１とを一致させ、一の吸収パッド１ｃをおむつ１００の股下部Ｍに配し、他の吸収パッド１ｄをおむつ１００の背側部Ｒ側に配し、吸収パッドセット１０を一対の防漏カフ１０８，１０８間に配して使用される。図１１及び図１２に示す吸収パッドセット１０は、図４〜図６に示す吸収パッドセット１０と同様な効果を奏することができる。
【００４９】
図１３及び図１４に示す吸収パッドセット１０は、一の吸収パッド１ｃと他の吸収パッド１ｄとを有し、一の吸収パッド１ｃの第１方向Ｘと、他の吸収パッド１ｄの第１方向Ｘとが平行となるように、接合手段６によって一の吸収パッド１ｃと他の吸収パッド１ｄとを隙間なく連結して使用される。図１３に示すように平面視して、一の吸収パッド１ｃの第１方向Ｘに沿う側部上に、一の吸収パッド１ｃの第１方向Ｘと同じ方向に長い他の吸収パッド１ｄを配し、図１４に示すように、他の吸収パッド１ｄにおける括れ部４ｋ近傍のフラップ部５の非肌対向面に配された接合手段６によって、一の吸収パッド１ｃの第１方向Ｘに沿う側部に位置するフラップ部５の肌対向面上に連結され、他の吸収パッド１ｄの括れ部４ｋと一の別の吸収パッド１ｃの第１領域４Ｒ１の側部とが合致して、一の吸収パッド１ｃと他の吸収パッド１ｄとが隙間なく連結されている。
【００５０】
図１３及び図１４に示す吸収パッドセット１０を、図３に示すおむつ１００に配するときには、一の吸収パッド１ｃ及び他の吸収パッド１ｄそれぞれの第１方向Ｘと、おむつ１００の長手方向Ｘ１とを一致させ、一の吸収パッド１ｃ及び他の吸収パッド１ｄをおむつ１００の股下部Ｍに配し、吸収パッドセット１０を一対の防漏カフ１０８，１０８間に配して使用される。図１３及び図１４に示す吸収パッドセット１０は、図１１及び図１２に示す吸収パッドセット１０と比較する場合、股下部Ｍにおける吸収性能をより向上できるという効果を奏することができ、括れ部４ｋがあることで着用者の股間へのフィット性が高い。また、図７及び図８に示す吸収パッドセット１０と同様に接合手段６により装着中のずれや浮きを生じにくい。なお、横向き寝の着用者に用いる場合、下側にくる吸収パッド１が腹側部Ｆ側に出ている配置で用いることが漏れ防止の観点から好ましい。
【００５１】
上述したように、図９に示す吸収パッド１は、同一形状の他の吸収パッド１と組み合わせることにより、図１１及び図１２に示す吸収パッドセット１０及び図１３及び図１４に示す吸収パッドセット１０を形成できる。これらの吸収パッドセット１０は、吸収パッド１の括れ部４ｋと、別の吸収パッド１における複数の位置から選択される一の位置とが合致し、全体として異なる形状となるように隙間なく連結可能に形成されており、所望の領域の吸収性能を向上させることが可能となる。このように、図９に示す吸収パッド１は、他の吸収パッド１との組合せの自由度が高く、隙間なく連結することで可能となる。
【００５２】
以上、本発明をその実施形態に基づいて説明したが、本発明は、前記実施形態に制限されることなく適宜変更が可能である。
例えば、図１及び図９に示す吸収パッド１には、それぞれ、接合手段６がフラップ部５における吸収体４の括れ部４ｋに対応する位置に設けられているが、該接合手段６に加えて、接合手段６とは別の接合手段が吸収体４に重なる裏面シート３の非肌対向面に設けられていてもよい。このような別の接合手段としては、例えば、おむつ表面シート１０２に対するずれを防止するずれ止め剤等が挙げられる。ずれ止め剤等の別の接合手段は、フラップ部５よりも内側の吸収体４と重なる位置に配されていることが好ましい。このような別の接合手段が裏面シート３の非肌対向面に設けられていると、装着中のズレ等が生じ難くなり、効率的に尿等を吸収させることができる。特に、接合手段６が第１方向Ｘに沿う両側部にそれぞれに配され、一方の接合手段６を他の吸収パッド１の接合に用い、他方の接合手段６をおむつ表面シート１０２の肌対向面の固定に用いる場合には、他方の接合手段６と別の接合手段とを併用することで、吸収パッド１をより一層ずれ難くすることができる。
【００５３】
また、図１及び図９に示す吸収パッド１の備える吸収体４が、それぞれ、図１５及び図１６に示すように、溝部７を備えていてもよい。溝部７を備えていると、吸収体４に吸収した体液を該溝部の延びる方向に拡散することができる。該溝部７は、少なくとも第１方向Ｘに延びていることが好ましい。第１方向Ｘに延びる溝部７を備えていると、吸収体４に吸収した体液を第１方向Ｘに拡散することができ、溝部に沿って曲がりやすい事によりフィット性も高めることができ、排泄部対向部に液を溜まりにくくすることができる。溝部７は、隣接する部位の坪量よりも低坪量であるか、若しくは坪量を有さない部位、又は隣接する部位の坪量より低坪量でなくてもエンボス加工により部分的に圧密化される等して厚みが薄くされ溝形状になっている部位である。図１５（ａ）及び図１６（ａ）に示す吸収パッド１では、それぞれ、吸収体４の備える溝部７が、中心線ＣＬに沿って第１領域４Ｒ１から第２領域４Ｒ２に亘って第１方向Ｘに延びている。図１５（ｂ）及び図１６（ｂ）に示す吸収パッド１では、それぞれ、吸収体４の備える溝部７が、中心線ＣＬに沿って第１領域４Ｒ１から第２領域４Ｒ２に亘って第１方向Ｘに延びており、第１領域４Ｒ１及び第２領域４Ｒ２において、それぞれ、別の溝部７ａが第２方向Ｙに延びている。また、図１５（ｃ）及び図１６（ｃ）に示す吸収パッド１では、それぞれ、吸収体４の備える溝部７が、複数本、括れ部４ｋの中心から外方に第１領域４Ｒ１又は第２領域４Ｒ２まで放射状に延びている。尚、溝部７が第１方向Ｘに延びるとは、溝部７が第１方向Ｘに延びてさえしていればよく、例えば、溝部７が第１方向Ｘと平行に延びる形態、溝部７が第１方向Ｘに対して所定角度傾斜して延びる形態、溝部７が第１方向Ｘに波状に延びる形態等も含む意味である。
【００５４】
吸収パッド１は、図４，図７，図１１，図１３に示すように、他の吸収パッド１と組み合わされて、２個の吸収パッド１で吸収パッドセット１０を構成しているが、３個以上の吸収パッド１を組み合わせて吸収パッドセットを構成してもよい。例えば、図４及び図７に示す吸収パッドセットの組み合わせにより吸収パッドセットを構成してもよく、図１１及び図１３に示す吸収パッドセットの組み合わせにより吸収パッドセットを構成してもよい。また図４に示す吸収パッドセット１０を構成する一の吸収パッド１ａと他の吸収パッド１ｂとは形状及び大きさが完全に一致する同一のものであり、同様に図１１に示す吸収パッドセット１０を構成する一の吸収パッド１ｃと他の吸収パッド１ｄとは形状及び大きさが完全に一致する同一のものであるが、完全に同一でなくてもよく、概ね同一であればよい。
【符号の説明】
【００５５】
１（１ａ，１ｂ，１ｃ，１ｄ）  吸収パッド
２  表面シート
３  裏面シート
４  吸収体
４ｋ  括れ部
４Ｒ１  第１領域
４Ｒ２  第２領域
４Ｓ  外周縁
５  フラップ部
６  接合手段
７  溝部
１０  吸収パッドセット
１００  使い捨ておむつ
１０２  おむつ表面シート
１０３  おむつ裏面シート
１０４  おむつ吸収体
１０８  防漏カフ
Ｘ  第１方向
Ｙ  第２方向
Ｘ１  長手方向
Ｙ１  幅方向
【図１】
2019097980.tif 000003
【図２】
2019097980.tif 000004
【図３】
2019097980.tif 000005
【図４】
2019097980.tif 000006
【図５】
2019097980.tif 000007
【図６】
2019097980.tif 000008
【図７】
2019097980.tif 000009
【図８】
2019097980.tif 000010
【図９】
2019097980.tif 000011
【図１０】
2019097980.tif 000012
【図１１】
2019097980.tif 000013
【図１２】
2019097980.tif 000014
【図１３】
2019097980.tif 000015
【図１４】
2019097980.tif 000016
【図１５】
2019097980.tif 000017
【図１６】
2019097980.tif 000018